(57)【要約】【課題】従来、摩耗による損傷から保護するために使用できなく成ったロープ等を係留用固定機器の当接部位に巻き付けたり、他の柔軟性部材を巻き付けたりしている現状であるが、多大な労力を必要とすると共に、素人が取り付けると直ぐにずれたり外れたりしており、又、係留用ロープに取り付ける場合は直ぐにずれてしまい、熟練を必要としていた。【解決手段】本発明は、耐摩耗性と柔軟性と厚さとを有するカバー本体と、カバー本体の内側面に取着させた本体用ノンスリップマットと、本体用ノンスリップマットと直交するカバー本体の両端辺に延設した夫々のフラップと、本体用ノンスリップマットと並行するカバー本体とフラップとの一方辺の内側面と他方辺の外側面とに取着した面状ファスナーと、フラップの内側面の両端辺に取着させたフラップ用ノンスリップマットとを備えた。【選択図】　　　図１
2004017952.tif 000002
【特許請求の範囲】
【請求項１】
耐摩耗性と柔軟性と厚さとを有するポリエステル等の織布又は不織布から成る矩形状のカバー本体と、該カバー本体の内側面に取着させた摩擦抵抗の高い材質で形成した帯状の本体用ノンスリップマットと、該本体用ノンスリップマットと直交するカバー本体の両端辺に夫々延設した丈夫な生地で形成した薄手のフラップと、前記本体用ノンスリップマットと並行するカバー本体と夫々のフラップとの一方辺の内側面と他方辺の外側面とに夫々取着した面状ファスナーと、前記夫々のフラップの内側面の端辺に夫々取着させたフラップ用ノンスリップマットとを備えたことを特徴する船舶等係留用ロープの保護カバー。
【発明の詳細な説明】
【０００１】
【発明の属する技術分野】
本発明は船舶等係留用ロープの保護カバーに関するものであり、更に、詳細には、船舶等が波止場や沖合のシーバースで係留するために使用する係留用ロープと係留用固定機器、及び、係留用ロープとその他の機器等と接触部位との摩擦による損傷から保護するカバーに関するものである。
【０００２】
【従来技術】
従来、船舶等を係留させる必要がある場合、海流や風によって流されないように係留用固定機器に船舶等から繰り出した係留用ロープを張設するものであるが、海流や風、又は、波、潮の干満等の影響によって船舶等が移動し、その移動のために係留用ロープが緊張又は弛緩を繰り返するものであり、その為、係留用ロープと係留用固定機器、及び、係留用ロープとその他の機器等との接触部位に緊張時に摩耗が発生するものであるが、通常、係留用ロープは繊維素材が撚り合わされているものであり、係留用固定機器等が金属やコンクリートで形成されているため、係留用ロープが摩耗してしまい、やがて切れたり使用できなくなっていた。
【０００３】
又、予め、係留用ロープの端辺の若干巾に保護用のカバーを取り付けたり、摩耗に対する特殊加工を施したりしているが高価に成ることと、自由に長さの調整や取付け位置の調整ができないことから敬遠されており、更に、長尺の一本のロープから現地で長さを調整しながら製作した係留用ロープは経時の使用で直ぐ摩耗によって損傷してしまい使え無く成り頻繁に取り替えなければ成らなかった。
【０００４】
【解決しようとする課題】
その為に、この摩耗による損傷から保護するために使用できなく成ったロープ等を係留用固定機器の当接部位に巻き付けたり、他の柔軟性部材を巻き付けたりしている現状であるが、多大な労力を必要とすると共に、素人が取り付けると直ぐにずれたり外れたりしており、熟練を要するものであり、又、波止場や船舶の美観を損なうものであり、更には、ロープ状の係留用ロープに取り付ける場合は直ぐに所望位置からずれてしまい、ずれないように取り付けるには更なる熟練を必要としていた。
【０００５】
【課題を解決するための手段】
本発明は上述の課題に鑑み、鋭意研鑚の結果、耐摩耗性と柔軟性と厚さとを有する矩形状のカバー本体と、カバー本体の内側面に取着させた本体用ノンスリップマットと、本体用ノンスリップマットと直交するカバー本体の両端辺に延設した夫々のフラップと、本体用ノンスリップマットと並行するカバー本体とフラップとの一方辺の内側面と他方辺の外側面とに夫々取着した面状ファスナーと、フラップの内側面の両端辺に取着させたフラップ用ノンスリップマットとを備えたものである。
【０００６】
【作用】
本発明の船舶等係留用ロープの保護カバーは、耐摩耗性と柔軟性とを有したカバー本体を係留用ロープの係留用固定機器、及び、係留用ロープとその他の機器等との接触部位に捲着させているため係留用ロープを保護し、更に、カバー本体の内側に本体用ノンスリップマットとフラップ用ノンスリップマットとを取着しているため係留用ロープと保護カバーがずれること無く、更には、カバー本体の両端辺にフラップを延設しているために、厚手のカバー本体であっても干渉によるずれを防止しており、尚且つ、面状ファスナーで捲着するために取付けが容易なものである。
【０００７】
従って、本発明の目的は、係留用ロープに取付けた位置からずれることなく、取付けが容易な船舶等の係留用ロープを係留用固定機器、及び、係留用ロープとその他の機器等との接触部位との間で発生する摩耗を保護する保護カバーを提供する目的である。
【０００８】
【発明の実施の形態】
斯る目的を達成した本発明の船舶等係留用ロープの保護カバーを以下実施の形態の図面によって説明する。
【０００９】
図１は本発明の船舶等係留用ロープの保護カバーの実施の形態の内側の平面図であり、図２は本発明の船舶等係留用ロープの保護カバーの実施の形態の図１におけるＡ−Ａ線切断断面説明図あり、図３は本発明の船舶等係留用ロープの保護カバーの実施の形態の図１におけるＢ−Ｂ線切断断面説明図である。
【００１０】
本発明は船舶等係留用ロープの保護カバーに関するものであり、更に、詳細には、船舶等が波止場や沖合のシーバースで係留するために使用する係留用ロープと係留用固定機器、及び、係留用ロープとその他の機器等と接触部位との摩擦による損傷から保護するカバーに関するものであり、耐摩耗性と柔軟性と厚さとを有するポリエステル等の織布又は不織布から成る矩形状のカバー本体１と、該カバー本体１の内側面に取着させた摩擦抵抗の高い材質で形成した帯状の本体用ノンスリップマット２と、該本体用ノンスリップマット２と直交するカバー本体１の両端辺に夫々延設した丈夫な生地で形成した薄手のフラップ３と、前記本体用ノンスリップマット２と並行するカバー本体１と夫々のフラップ３との一方辺の内側面と他方辺の外側面とに夫々取着した面状ファスナー４と、前記夫々のフラップ３の内側面の端辺に夫々取着させたフラップ用ノンスリップマット５とを備えたものである。
【００１１】
即ち、本発明の船舶等係留用ロープの保護カバーは、船舶等と係留用固定機器との間に張設される係留用ロープ（図示しない）の両端辺及び所望位置に捲着するものであり、詳細には、係留用ロープと船舶等側及び係留施設側の係留用固定機器（図示しない）との当接部位、或いは、その他の機器等、例えば、船舶に設けられた係留用ロープを繰り出すための開口部等との接触部位の係留用ロープに捲着させて、係留用ロープや係留用固定機器及びその他の機器を摩擦による損傷から保護するものである。
【００１２】
そして、カバー本体１は耐摩耗性と柔軟性と厚さとを有するもので、実施の形態ではポリエステル等の織布又は不織布を用いているものであるが、耐摩耗性と柔軟性とを備えた材質のものであれば他の材質のものでも構わないもので、使用する目的の係留用ロープの径の大きさにもよるが一般的には８乃至１０ミリメートル程度の厚みを有するもので、更に、巾や長さも取着する状況を勘案した矩形状のものである。
【００１３】
次に、本体用ノンスリップマット２は摩擦抵抗の高い塩化ビニルやゴム等を用いて網状に成形したもので、更に、一定の長さの帯状に切断しているものであり、カバー本体１の内側面に係留用ロープの長手方向に沿って接着、溶着、縫着等の手段によって取着させるものであり、図１に図示する如く、実施の形態では２枚の本体用ノンスリップマット２を用いているものであるが、その数は特に限定しないものである。
【００１４】
次いで、フラップ３は綿帆布等の丈夫な生地で形成された薄手のものであり、前記本体用ノンスリップマット２と直交する方向のカバー本体１の両端辺に夫々延設しているもので、実施の形態ではカバー本体１の両端辺に縫着しているものである。
【００１５】
更に、面状ファスナー４はカバー本体１の前記本体用ノンスリップマット２と並行する方向のカバー本体１と夫々のフラップ３との一方辺の内側面と他方辺の外側面とに夫々取着しているもので、つまり、カバー本体１を係留用ロープに一周捲着させ内側面と外側面とを積層させて夫々取着した夫々の面状ファスナー４を合着させてワンタッチで取付けが可能なものである。
【００１６】
更には、フラップ用ノンスリップマット５はカバー本体１の両端辺に延設した夫々のフラップ３の端辺に接着、溶着、縫着等の手段によって取着するものであり、フラップ用ノンスリップマット５も前記本体用ノンスリップマット２と同様に摩擦抵抗の高い材料を用いて網状に成形したもので、更に、一定の長さの帯状に切断しているものである。
【００１７】
本発明の船舶等係留用ロープの保護カバーは、カバー本体１に取着した面状ファスナー４を係留用ロープと並行させると共に内側面を係留用ロープに向けて捲着するものであるが、カバー本体１の他方辺の外側面に取着した面状ファスナー４を内側にして捲回して、一方辺の内側面に取着した面ファスナーと合着させるだけで装着することを可能とするもので、係留用ロープと本体カバーとの間には本体用ノンスリップマット２が介装されており、ずれることが無いものである。
【００１８】
更に、丈夫な生地で形成された薄手のフラップ３が両端に延設されているため、係留用ロープと係留用固定機器との干渉によるずれも厚手のカバー本体１を用いているにもかかわらず防ぐことができるものであり、更には、捲着するのみなので係留用ロープの何処の位置でも、誰でもがワンタッチで容易に装着でるものである。
【００１９】
【発明の効果】
本発明の船舶等係留用ロープの保護カバーは、前述の構成により、係留用ロープへの装着が容易で、装着した保護カバーがはずれることも無く、更には、係留用ロープと係留用固定機器、及び、係留用ロープとその他の機器等との干渉にもずれること無く使用できるものであり、画期的で実用性の高い発明である。
【図面の簡単な説明】
【図１】図１は本発明の船舶等係留用ロープの保護カバーの実施の形態の内側の平面図である。
【図２】図２は本発明の船舶等係留用ロープの保護カバーの実施の形態の図１におけるＡ−Ａ線切断断面説明図ある。
【図３】図３は本発明の船舶等係留用ロープの保護カバーの実施の形態の図１におけるＢ−Ｂ線切断断面説明図である。
【符号の説明】
１　　　カバー本体
２　　　本体用ノンスリップマット
３　　　フラップ
４　　　面状ファスナー
５　　　フラップ用ノンスリップマット
【図１】
2004017952.tif 000003
【図２】
2004017952.tif 000004
【図３】
2004017952.tif 000005